(57)【要約】【課題】ユーザごとの使用電力を算出することが可能な画像処理装置、電力管理装置およびプログラムを提供する。【解決手段】印刷装置用ユーザログ生成部は、スリープモードからウォームアップモードに移行してからスリープモードに再び移行するまでの間に、印刷装置が複数のユーザに係るジョブの実行を行ったときには、時間帯７１で示すように、利用前にさかのぼって動作に必要なウォームアップの使用ユーザとして追加する。時間帯７４で示すように、最終利用後のスリープモードまでの消費電力量は、最終利用者の使用電力とされる。【選択図】図８
2010056728.tif 000002
【特許請求の範囲】
【請求項１】
第１の機能を実現する構成を備え、電力を消費して当該第１の機能を実現する動作状態を含む複数の動作状態を有し、当該複数の動作状態の遷移によって消費電力が増減する第１の機能部と、
第２の機能を実現する構成を備え、電力を消費して当該第２の機能を実現する動作状態を含む複数の動作状態を有し、当該複数の動作状態の遷移によって消費電力が増減する第２の機能部と、
前記第１の機能部について前記複数の動作状態のいずれかに遷移した履歴を示す履歴情報を、当該第１の機能部が遷移することになった要因を発生させたユーザを特定するためのユーザ情報に関連付けて生成する第１の生成部と、
前記第２の機能部について前記複数の動作状態のいずれかに遷移した履歴を示す履歴情報を、当該第２の機能部が遷移することになった要因を発生させたユーザを特定するためのユーザ情報に関連付けて生成する第２の生成部と、
前記第１の機能部の前記複数の動作状態での消費電力の情報と前記第１の生成部により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成部により生成された前記履歴情報および前記ユーザ情報とを取得して当該要因に起因する当該第２の機能部の消費電力量を当該ユーザ情報により特定されるユーザを単位として演算する演算部と、
を含む画像処理装置。
【請求項２】
前記第１の機能部と前記第２の機能部とが互いに連動して動作することになる指示である第１の動作指示および、当該第１の機能部が単独で動作することになる指示である第２の動作指示を取得する取得部を更に含み、
前記演算部は、前記第１の機能部が前記第１の動作指示および前記第２の動作指示により動作して消費した消費電力量を前記ユーザを単位として演算し、前記第２の機能部が当該第１の動作指示により動作して消費した消費電力量を前記ユーザを単位として演算することを特徴とする請求項１に記載の画像処理装置。
【請求項３】
前記演算部は、第１のユーザによる前記第１の動作指示または前記第２の動作指示を受けることを契機に当該動作指示を受ける前の動作状態よりも消費電力が増える他の動作状態に遷移した後に、第２のユーザによる当該第１の動作指示または当該第２の動作指示を受ける場合に、当該他の動作状態の遷移に伴って増えた消費電力の一部を当該第１のユーザの前記消費電力量に加算し、当該消費電力の残余部を当該第２のユーザの当該消費電力量に加算することを特徴とする請求項２に記載の画像処理装置。
【請求項４】
消費電力量が互いに異なる複数の動作状態を有する第１の機能部について当該複数の動作状態のいずれに遷移したかの履歴を示す履歴情報を、当該第１の機能部が遷移することになった要因を発生させたユーザを特定するためのユーザ情報に関連付けて生成する第１の生成手段と、
消費電力量が互いに異なる複数の動作状態を有する第２の機能部について当該複数の動作状態のいずれに遷移したかの履歴を示す履歴情報を、当該第２の機能部が遷移することになった要因を発生させたユーザを特定するためのユーザ情報に関連付けて生成する第２の生成手段と、
前記第１の機能部の前記複数の動作状態での消費電力の情報と前記第１の生成手段により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成手段により生成された前記履歴情報および前記ユーザ情報とを取得して前記要因に起因する当該第２の機能部の消費電力量を当該ユーザ情報により特定されるユーザを単位として演算する演算手段と、
を含む電力管理装置。
【請求項５】
前記演算手段は、前記第１の機能部および前記第２の機能部が互いに連動して動作することになる指示である第１の動作指示と当該第１の機能部が単独で動作することになる指示である第２の動作指示とによって当該第１の機能部および当該第２の機能部が動作したときに、当該第１の機能部が当該第１の動作指示および当該第２の動作指示により動作して消費した消費電力量を前記ユーザを単位として演算すると共に、当該第２の機能部が当該第１の動作指示により動作して消費した消費電力量を前記ユーザを単位として演算することを特徴とする請求項４に記載の電力管理装置。
【請求項６】
消費電力量が互いに異なる複数の動作状態を有する第１の機能部と消費電力量が互いに異なる複数の動作状態を有する第２の機能部とを含む画像処理装置が備えるコンピュータに、
前記第１の機能部について前記複数の動作状態のいずれに遷移したかの履歴を示す履歴情報を、当該第１の機能部が遷移することになった要因を発生させたユーザを特定するためのユーザ情報に関連付けて生成する第１の生成機能と、
前記第２の機能部について前記複数の動作状態のいずれに遷移したかの履歴を示す履歴情報を、当該第２の機能部が遷移することになった要因を発生させたユーザを特定するためのユーザ情報に関連付けて生成する第２の生成機能と、
前記第１の機能部の前記複数の動作状態での消費電力の情報と前記第１の生成機能により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成機能により生成された前記履歴情報および前記ユーザ情報とを取得して前記要因に起因する当該第２の機能部の消費電力量を当該ユーザ情報により特定されるユーザを単位として演算する演算機能と、
を実現させるプログラム。
【発明の詳細な説明】
【技術分野】
【０００１】
本発明は、画像処理装置、電力管理装置およびプログラムに関するものである。
【背景技術】
【０００２】
例えば、特許文献１には、コピーモードやプリントモードを備え、各動作モードの動作履歴を正確に計時し、計時された計時値に基づきコピーモードやプリントモードなどの様々なジョブを処理する複合機の電力に係るログ情報を作成する複合機が開示されている。
【０００３】
【特許文献１】特開２００３−３０９６８４号公報
【発明の開示】
【発明が解決しようとする課題】
【０００４】
ここで、画像形成装置は、複数のユーザから様々なジョブについての指示を受け付けることが可能である。また、受け付けたジョブを実行したことに伴う画像形成装置の消費電力量を算出することが可能である。しかしながら、受け付けたジョブによっては、画像形成装置の消費電力量のうち、どのユーザがどれぐらい使用しているかを把握することが困難な場合がある。
【０００５】
本発明は、ユーザごとの使用電力を算出することが可能な画像処理装置、電力管理装置およびプログラムを提供することを目的とする。
【課題を解決するための手段】
【０００６】
請求項１に記載の発明は、第１の機能を実現する構成を備え、電力を消費して当該第１の機能を実現する動作状態を含む複数の動作状態を有し、当該複数の動作状態の遷移によって消費電力が増減する第１の機能部と、第２の機能を実現する構成を備え、電力を消費して当該第２の機能を実現する動作状態を含む複数の動作状態を有し、当該複数の動作状態の遷移によって消費電力が増減する第２の機能部と、前記第１の機能部について前記複数の動作状態のいずれかに遷移した履歴を示す履歴情報を、当該第１の機能部が遷移することになった要因を発生させたユーザを特定するためのユーザ情報に関連付けて生成する第１の生成部と、前記第２の機能部について前記複数の動作状態のいずれかに遷移した履歴を示す履歴情報を、当該第２の機能部が遷移することになった要因を発生させたユーザを特定するためのユーザ情報に関連付けて生成する第２の生成部と、前記第１の機能部の前記複数の動作状態での消費電力の情報と前記第１の生成部により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成部により生成された前記履歴情報および前記ユーザ情報とを取得して当該要因に起因する当該第２の機能部の消費電力量を当該ユーザ情報により特定されるユーザを単位として演算する演算部と、を含む画像処理装置である。
請求項２に記載の発明は、前記第１の機能部と前記第２の機能部とが互いに連動して動作することになる指示である第１の動作指示および、当該第１の機能部が単独で動作することになる指示である第２の動作指示を取得する取得部を更に含み、前記演算部は、前記第１の機能部が前記第１の動作指示および前記第２の動作指示により動作して消費した消費電力量を前記ユーザを単位として演算し、前記第２の機能部が当該第１の動作指示により動作して消費した消費電力量を前記ユーザを単位として演算することを特徴とする請求項１に記載の画像処理装置である。
請求項３に記載の発明は、前記演算部は、第１のユーザによる前記第１の動作指示または前記第２の動作指示を受けることを契機に当該動作指示を受ける前の動作状態よりも消費電力が増える他の動作状態に遷移した後に、第２のユーザによる当該第１の動作指示または当該第２の動作指示を受ける場合に、当該他の動作状態の遷移に伴って増えた消費電力の一部を当該第１のユーザの前記消費電力量に加算し、当該消費電力の残余部を当該第２のユーザの当該消費電力量に加算することを特徴とする請求項２に記載の画像処理装置である。
【０００７】
請求項４に記載の発明は、消費電力量が互いに異なる複数の動作状態を有する第１の機能部について当該複数の動作状態のいずれに遷移したかの履歴を示す履歴情報を、当該第１の機能部が遷移することになった要因を発生させたユーザを特定するためのユーザ情報に関連付けて生成する第１の生成手段と、消費電力量が互いに異なる複数の動作状態を有する第２の機能部について当該複数の動作状態のいずれに遷移したかの履歴を示す履歴情報を、当該第２の機能部が遷移することになった要因を発生させたユーザを特定するためのユーザ情報に関連付けて生成する第２の生成手段と、前記第１の機能部の前記複数の動作状態での消費電力の情報と前記第１の生成手段により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成手段により生成された前記履歴情報および前記ユーザ情報とを取得して前記要因に起因する当該第２の機能部の消費電力量を当該ユーザ情報により特定されるユーザを単位として演算する演算手段と、を含む電力管理装置である。
請求項５に記載の発明は、前記演算手段は、前記第１の機能部および前記第２の機能部が互いに連動して動作することになる指示である第１の動作指示と当該第１の機能部が単独で動作することになる指示である第２の動作指示とによって当該第１の機能部および当該第２の機能部が動作したときに、当該第１の機能部が当該第１の動作指示および当該第２の動作指示により動作して消費した消費電力量を前記ユーザを単位として演算すると共に、当該第２の機能部が当該第１の動作指示により動作して消費した消費電力量を前記ユーザを単位として演算することを特徴とする請求項４に記載の電力管理装置である。
【０００８】
請求項６に記載の発明は、消費電力量が互いに異なる複数の動作状態を有する第１の機能部と消費電力量が互いに異なる複数の動作状態を有する第２の機能部とを含む画像処理装置が備えるコンピュータに、前記第１の機能部について前記複数の動作状態のいずれに遷移したかの履歴を示す履歴情報を、当該第１の機能部が遷移することになった要因を発生させたユーザを特定するためのユーザ情報に関連付けて生成する第１の生成機能と、前記第２の機能部について前記複数の動作状態のいずれに遷移したかの履歴を示す履歴情報を、当該第２の機能部が遷移することになった要因を発生させたユーザを特定するためのユーザ情報に関連付けて生成する第２の生成機能と、前記第１の機能部の前記複数の動作状態での消費電力の情報と前記第１の生成機能により生成された前記履歴情報および前記ユーザ情報とを取得して前記要因に起因する当該第１の機能部の消費電力量を当該ユーザ情報により特定されるユーザを単位として演算し、前記第２の機能部の前記複数の動作状態での消費電力の情報と前記第２の生成機能により生成された前記履歴情報および前記ユーザ情報とを取得して前記要因に起因する当該第２の機能部の消費電力量を当該ユーザ情報により特定されるユーザを単位として演算する演算機能と、を実現させるプログラムである。
【発明の効果】
【０００９】
請求項１によれば、本発明を適用しない場合に比べて、ユーザごとの画像処理装置の使用電力をより正確に算出することが可能になる。
請求項２によれば、本発明を適用しない場合に比べて、コンカレント動作の場合であってもユーザごとの画像処理装置の使用電力をより正確に算出することが可能になる。
請求項３によれば、本発明を適用しない場合に比べて、複数のユーザによる使用電力の分担をより明確にすることが可能になる。
請求項４によれば、本発明を適用しない場合に比べて、ユーザごとの画像処理装置の使用電力をより正確に算出することが可能になる。
請求項５によれば、本発明を適用しない場合に比べて、コンカレント動作の場合であってもユーザごとの画像処理装置の使用電力をより正確に算出することが可能になる。
請求項６によれば、本発明を適用しない場合に比べて、ユーザごとの画像処理装置の使用電力をより正確に算出することが可能になる。
【発明を実施するための最良の形態】
【００１０】
以下、添付図面を参照して、本発明の実施の形態について詳細に説明する。
図１は、本実施の形態の電力管理システムＰＳの構成の一例を示す図である。
同図に示すように、この電力管理システムＰＳは、複数の端末装置１０と画像処理装置の一例としての画像形成装置２０とが通信網ＮＷに互いに接続されることにより構成されている。この電力管理システムＰＳは、例えば複数の端末装置１０の各々から印刷指示が通信網ＮＷを介して画像形成装置２０に送信されると、画像形成装置２０は、その印刷指示を受けて用紙に印刷を行うように構成されている。このように、電力管理システムＰＳは、通信網ＮＷの環境下で画像形成装置２０をユーザが使用することが可能に構成されている。
【００１１】
端末装置１０は、画像データを作成し外部に出力する機器であり、例えば、ソフトウェアを実行して演算等を行うコンピュータ本体、ディスプレイ等の表示装置、コンピュータ本体に対して入力を行うための入力装置等により構成される。この端末装置１０としては、例えば、パーソナルコンピュータやその他のコンピュータが用いられる。
【００１２】
画像形成装置２０は、媒体に画像を印刷し、印刷文書として出力する装置である。画像形成装置２０は、ユーザを識別して認証する認証装置２５がケーブルで接続されている。また、画像形成装置２０は、画像読取処理等の機能を実現するための各種のデバイスを備えている。その詳細については、後述する。
【００１３】
通信網ＮＷとしては、例えばイーサネット（登録商標）(Ethernet（登録商標）)によるＬＡＮ(Local Area Network)で構成することができる。更に説明すると、この通信網ＮＷを介して、端末装置１０と画像形成装置２０との間でデータを相互に送受信することができる。すなわち、端末装置１０は、画像形成装置２０に対して通信網ＮＷを介して印刷データを送信して印刷を指示することができる。また、画像形成装置２０は、通信網ＮＷに接続されている端末装置１０の数を検知することができる。
なお、端末装置１０と画像形成装置２０との間で通信網ＮＷを介してデータ転送を行う際に、送信元と送信先との間でデータ通信を確立するためのネゴシエーション(negotiation)を行う。このネゴシエーションという用語は、ハードウェアデバイス同士が通信（通信条件）に関する情報交換を行うものともいうことができる。
【００１４】
図２は、画像形成装置２０の構成例を示すブロック図である。
同図に示すように、本実施の形態での画像形成装置２０は、取得された画像を処理して用紙に印刷する印刷装置２１と、予め定められた画像を表示する表示画面やユーザが操作する操作パネル等を有するＵＩ装置２２と、を備えている。また、画像形成装置２０は、処理すべき画像を読み取るスキャナ等で構成される画像読取装置２３と、画像形成装置２０の全体を制御する制御装置２４と、を備えている。制御装置２４は、画像形成装置２０に接続されている認証装置２５を制御する。
このように、画像形成装置２０は、画像読取機能、印刷機能およびＵＩ機能のためのデバイス（第１の機能部、第２の機能部）として、印刷装置２１、ＵＩ装置２２および画像読取装置２３を備えている。
なお、印刷装置２１は、トナー像を用紙等の媒体上に形成する電子写真方式を用いて印刷を行う構成を採用することができるが、その他の方式、例えばインクを用紙等の媒体に吐出して像を形成するインクジェット方式を用いてもよい。
【００１５】
なお、ＵＩ装置２２は、プリントジョブ（第２の動作指示）やコピージョブ（第１の動作指示）等の動作指示を取得する取得部の一部を構成するものである。また、ＵＩ装置２２は、複数のモード（動作状態）のいずれかに遷移する時期に関する設定の変更を受け付ける受付部の一部を構成するものでもある。また、後述する演算部３２による演算結果（消費電力量）を出力する出力部の一部を構成するものでもある。
【００１６】
さらに説明すると、画像形成装置２０は、デバイスごとに、消費電力の異なる複数の電力モード（動作モード、動作状態）を有する。例えば、印刷装置２１では、電力モードとして、発生したジョブを実行するプリントモードと、ジョブの発生に備えて待機するレディーモード（スタンバイモード）と、がある。また、印刷装置２１は、レディーモードが予め定められた時間継続されると消費電力を低減するために遷移するスリープモードと、スリープモードの時にジョブが発生すると遷移するウォームアップモードと、がある。プリントモード及びレディーモードを、通常の動作状態で動作するモードとしての通常モードということができ、また、スリープモードを省電力モード（節電モード）ということができる。通常モードの消費電力よりも省電力モードの消費電力の方が低い。
ＵＩ装置２２では、電力モードとして、上述したレディーモードおよびスリープモードがある。
画像読取装置２３では、電力モードとして、画像を読み取るスキャンモードがあり、また、上述したレディーモードおよびスリープモードがある。
【００１７】
制御装置２４は、デバイスごとの状態遷移の状況が記録されるログ（複数のモードのいずれかに遷移した履歴を示す履歴情報）を生成するログ生成部３１と、ログ生成部３１により生成されたログを用いて演算を行う演算部３２と、端末装置１０との間で通信網ＮＷを介して各種のデータを送受信するための通信制御部３３と、を備えている。
なお、通信制御部３３は、ＵＩ装置２２と同様に、取得部の一部を構成するものであり、受付部の一部を構成するものであり、出力部の一部を構成するものでもある。ログ生成部３１、演算部３２および通信制御部３３を、例えばＣＰＵ(Central Processing Unit)によって構成することが考えられる。
【００１８】
また、制御装置２４は、ログ生成部３１により生成されたログを格納し、演算部３２による計算に用いられる各種のデータや計算式、計算結果を格納し、通信制御部３３による送受信に用いる各種のデータを格納する格納部３４を備えている。格納部３４を、例えばＲＡＭ(Random Access Memory)およびＲＯＭ(Read-Only Memory)で構成することが考えられる。
さらに説明すると、格納部３４は、稼動状態により電力の増減があるデバイスごとの各状態での消費電力量のテーブル（電力情報テーブル）を格納している。なお、制御装置２４は、印刷装置２１、ＵＩ装置２２および画像読取装置２３に対して電力供給の制御を行う部分ということもできる。
【００１９】
ログ生成部３１は、印刷装置２１についてのログを生成する印刷装置用ログ生成部４１と、ＵＩ装置２２についてのログを生成するＵＩ装置用ログ生成部４２と、画像読取装置２３についてのログを生成する画像読取装置用ログ生成部４３と、制御装置２４についてのログを生成する制御装置用ログ生成部４４と、を備えている。
【００２０】
また、ログ生成部３１は、印刷装置２１についてのユーザログを生成する印刷装置用ユーザログ生成部４５と、ＵＩ装置２２についてのユーザログを生成するＵＩ装置用ユーザログ生成部４６と、画像読取装置２３についてのユーザログを生成する画像読取装置用ユーザログ生成部４７と、制御装置２４についてのユーザログを生成する制御装置用ユーザログ生成部４８と、を備えている。
ここにいうユーザログは、各デバイスが電力を消費するモードに遷移したときにその遷移の要因となったユーザを特定するためのユーザ情報を記録したものである。さらに説明すると、このユーザログは、ジョブの実行により画像形成装置２０が消費した消費電力をユーザごとに振り分けるために用いるものである。言い換えると、ユーザログは、画像形成装置２０に対して各種のジョブの実行を指示したユーザごとの使用電力を計算するのに用いられる。
なお、印刷装置用ログ生成部４１、ＵＩ装置用ログ生成部４２、画像読取装置用ログ生成部４３または制御装置用ログ生成部４４と、印刷装置用ユーザログ生成部４５、ＵＩ装置用ユーザログ生成部４６、画像読取装置用ユーザログ生成部４７または制御装置用ユーザログ生成部４８とによって、第１の生成部および第２の生成部を構成することができる。
【００２１】
図３は、制御装置２４の格納部３４に格納されている電力情報テーブル５１，５２，５３，５４の一例を説明する図である。
同図に示す電力情報テーブル５１は、印刷装置２１についてのものであり、スリープモードのときの消費電力は１Ｗであり、また、スタンバイモード（レディーモード）のときには３０Ｗ、ウォームアップモードのときには８００Ｗ、プリントモードのときには６００Ｗである。このように、モードごとに消費電力が異なり、モードの遷移があると、印刷装置２１の消費電力が増減することになる。
また、同図に示す電力情報テーブル５４は、制御装置２４についてのものであり、スリープモードのときの消費電力は０．１Ｗであり、また、レディモードのときには１０Ｗである。制御装置２４も、モードの遷移があると、消費電力が増減することになる。
なお、同図に示す電力情報テーブル５２は、ＵＩ装置２２についてのものであり、同図に示す電力情報テーブル５３は、画像読取装置２３についてのものである。
【００２２】
〔第１の実施の形態〕
図４は、印刷装置２１、ＵＩ装置２２、画像読取装置２３および制御装置２４の各モードの遷移例を説明する第１の実施の形態に係るタイムチャートである。なお、同図のｔは時間を示す。
同図に示すタイムチャートの例では、印刷装置２１、ＵＩ装置２２、画像読取装置２３および制御装置２４がスリープモードのときに、ユーザＡによる端末装置１０から通信網ＮＷを介して指示されたプリントジョブが発生し、プリントジョブが完了する前にさらに、認証装置２５により認証されたユーザＡによってコピージョブが発生した場合を示している。すなわち、このタイムチャートでは、一つのジョブが動作するだけの単体動作ではなく、複数のジョブが並行に動作するコンカレント(concurrent)動作の場合を示している。なお、他のコンカレント動作の例としては、画像形成装置２０がファクシミリ装置（ファクシミリ機能）を備える構成において、ファクシミリ受信中にＵＩ装置２２にてユーザがファクシミリ送信する場合が考えられる。
なお、プリントジョブは、端末装置１０から送信されたものであり、通信網ＮＷを介して通信制御部３３が受信する。また、コピージョブは、ユーザにより操作された指示をＵＩ装置２２が受け付けたものである。付言すると、コピージョブは、画像読取装置２３および印刷装置２１が互いに連動して動作することとなる指示である。プリントジョブは、印刷装置２１が単独で動作することとなる指示である。
【００２３】
プリントジョブが発生すると、印刷装置２１、ＵＩ装置２２、画像読取装置２３および制御装置２４はスリープモードから他のモードに移行する。すなわち、印刷装置２１は、スリープモードからウォームアップモードに遷移した後にプリントモードに遷移する。また、ＵＩ装置２２、画像読取装置２３および制御装置２４は、レディーモードに遷移する。
コピージョブは、画像読取装置２３がスキャンし、その画像を印刷装置２１が印刷することで実行される。したがって、コピージョブが発生すると、まず、画像読取装置２３がレディーモードからスキャンモードに移行する。そして、印刷装置２１は、プリントジョブの実行により既にプリントモードであるので、モード遷移することなく、スキャンした画像の印刷が行われる。すなわち、単体動作であれば、コピージョブが発生すると、印刷装置２１は、ウォームアップモードを経てプリントモードに遷移するものの、コンカレント動作であるので、モード遷移が不要である。
【００２４】
図５は、制御装置２４のログ生成部３１により生成されて格納部３４に格納されるログ６１，６２，６３，６４を説明する図である。
同図に示すログ６１，６２，６３，６４は、図４に示すタイムチャートの場合に生成されたものである。ログ６１は、印刷装置用ログ生成部４１により生成されたログであり、ログ６２は、ＵＩ装置用ログ生成部４２により生成されたログであり、ログ６３は、画像読取装置用ログ生成部４３により生成されたログである。また、ログ６４は、制御装置用ログ生成部４４により生成されたログである。
【００２５】
具体的に説明すると、ログ６１では、スリープモードからウォームアップモードに遷移して５秒後に、用紙への印刷を１６秒間行ったことを示している。そして、レディーモードに遷移して６０秒間（１分間）継続し、その後にスリープモードに遷移したことを示している。
【００２６】
図６は、印刷装置２１についての使用ユーザログを説明する図である。なお、この使用ユーザログは、制御装置２４のログ生成部３１の印刷装置用ユーザログ生成部４５により生成されて格納部３４に格納されるものである。
同図に示す印刷装置２１使用ユーザログは、図４に示すタイムチャートの場合に生成されたものである。すなわち、印刷装置用ユーザログ生成部４５は、スリープモード移行の際には使用ユーザログを、端末装置１０から通信網ＮＷを介して指示したユーザＡに書き換える。
このように、図４に示すタイムチャートの場合には、スリープモードからウォームアップモードに移行してから再びスリープモードに移行するまでの間にユーザＡのみが使用している。したがって、図６に示すように、その間（午後５時３５分１０秒から３６分３１秒までの間）の画像形成装置２０の消費電力は、ユーザＡの使用電力とされる。
【００２７】
画像形成装置２０でのスリープモード以外のモードの消費電力を演算することで、ユーザＡの使用電力を求めることができる。なお、このような演算は、演算部３２により行われる。
ユーザＡによるプリントジョブによって印刷装置２１はスリープモードからウォームアップモード、プリントモードおよびレディーモードに移行した後にスリープモードに戻っている。ウォームアップモードでの消費電力量ｃ１は、
８００Ｗ×５秒／３６００秒＝１．１１Ｗｈ
である。また、プリントモードでの消費電力量ｃ２は、
６００Ｗ×１６秒／３６００秒＝２．６７Ｗｈ
である。また、レディーモードでの消費電力量ｃ３は、
３０Ｗ×６０秒／３６００秒＝０．５Ｗｈ
である。したがって、印刷装置２１についてのユーザＡの使用電力量ｃは、
ｃ＝ｃ１＋ｃ２＋ｃ３＝４．２８Ｗｈ
である。
【００２８】
他のデバイスとしてのＵＩ装置２２、画像読取装置２３および制御装置２４についても、演算部３２が同様の演算によって、ユーザＡの使用電力量を算出する。そして、演算部３２は、すべてのデバイスについてのユーザＡの使用電力量を加算することで、ユーザＡの全使用電力量を算出する。算出された全使用電力量は、格納部３４に格納され、必要に応じて読み出されて、ＵＩ装置２２に表示されたり、印刷装置２１により用紙に印刷されたりする。
【００２９】
〔第２の実施の形態〕
図７は、印刷装置２１、ＵＩ装置２２、画像読取装置２３および制御装置２４の各モードの遷移例を説明する第２の実施の形態に係るタイムチャートである。なお、同図のｔは時間を示す。
本実施の形態に係るタイムチャートでは、ユーザＡによるプリントジョブが実行され、その実行中に、他のユーザであるユーザＢによるコピージョブが実行される場合を示している。このため、後述するように、ログ生成部３１により生成される使用ユーザログは、第１の実施の形態の場合（図６参照）とは異なる。なお、ログ生成部３１により生成されるログは、コンカレント動作を行う第１の実施の形態の場合（図５参照）と同じであるものとする。
【００３０】
図８は、印刷装置２１についての使用ユーザログを説明する図であり、図９は、制御装置２４についての使用ユーザログを説明する図である。なお、両図に示す印刷装置２１の使用ユーザログは、図７に示すタイムチャートの場合に生成されたものである。
印刷装置用ユーザログ生成部４５および制御装置用ユーザログ生成部４８は、スリープモードからウォームアップモードに移行してからスリープモードに再び移行するまでの間に、印刷装置２１が複数のユーザに係るジョブの実行を行ったときには、図８の時間帯７１および図９の時間帯７５で示すように、利用前にさかのぼって動作に必要なウォームアップの使用ユーザとして追加する。
また、図８および図９の時間帯７４で示すように、最終利用後のスリープモードまでの消費電力量は、最終利用者の使用電力とされる。この時間帯７４は、ユーザＢが画像形成装置２０に設置された不図示の節電スイッチを押す手動操作によって、短縮することが可能なものである。したがって、時間帯７４は、ユーザＢの使用電力量とされる。なお、節電スイッチが設置されていないときには、時間帯７４をユーザＡとユーザＢとの折半とすることも考えられる。
【００３１】
ここで、印刷装置２１についてのユーザＡの使用電力量ｄとしては、時間帯７１の印刷装置２１の消費電力量と時間帯７２の印刷装置２１の消費電力量とに基づいて算出される。また、印刷装置２１についてのユーザＢの使用電力量ｅとしては、時間帯７１の印刷装置２１の消費電力量と時間帯７３の印刷装置２１の消費電力量と時間帯７４の印刷装置２１の消費電力量とに基づいて算出される。
さらに説明すると、印刷装置２１についてのユーザＡの使用電力量ｄは、時間帯７１の印刷装置２１の消費電力量の半分が加算され、また、印刷装置２１についてのユーザＢの使用電力量ｅは、時間帯７１の印刷装置２１の消費電力量の半分が加算される。
【００３２】
印刷装置２１についてのユーザＡの使用電力量ｄおよびユーザＢの使用電力量ｅについて具体的に説明する。
時間帯７１での消費電力量ｆ１は、
８００Ｗ×５秒／３６００秒＝１．１１Ｗｈ
である。また、時間帯７２での消費電力量ｆ２は、
６００Ｗ×７秒／３６００秒＝１．１７Ｗｈ
である。時間帯７３での消費電力量ｆ３は、
６００Ｗ×９秒／３６００秒＝１．５Ｗｈ
である。時間帯７４での消費電力量ｆ４は、
３０Ｗ×６０秒／３６００秒＝０．５Ｗｈ
である。
したがって、ユーザＡの使用電力量ｄは、
ｄ＝ｆ１／２＋ｆ２＝１．７３Ｗｈ
になる。また、ユーザＢの使用電力量ｅは、
ｄ＝ｆ１／２＋ｆ３＋ｆ４＝２．５６Ｗｈ
になる。
【００３３】
ここで、制御装置２４についてのユーザＡの使用電力量ｇとしては、時間帯７５の制御装置２４の消費電力量と時間帯７６の制御装置２４の消費電力量とに基づいて算出される。また、制御装置２４についてのユーザＢの使用電力量ｈとしては、時間帯７６の制御装置２４の消費電力量と時間帯７３の制御装置２４の消費電力量と時間帯７４の制御装置２４の消費電力量とに基づいて算出される。
さらに説明すると、制御装置２４についてのユーザＡの使用電力量ｇは、時間帯７６の制御装置２４の消費電力量の半分が加算され、また、制御装置２４についてのユーザＢの使用電力量ｈは、時間帯７６の制御装置２４の消費電力量の半分が加算される。
【００３４】
制御装置２４についてのユーザＡの使用電力量ｇおよびユーザＢの使用電力量ｈについて具体的に説明する。
時間帯７５での消費電力量ｊ１は、
１０Ｗ×７秒／３６００秒＝０．０１９Ｗｈ
である。また、時間帯７６での消費電力量ｊ２は、
１０Ｗ×５秒／３６００秒＝０．０１３Ｗｈ
である。時間帯７３での消費電力量ｊ３は、
１０Ｗ×９秒／３６００秒＝０．０２５Ｗｈ
である。時間帯７４での消費電力量ｊ４は、
１０Ｗ×６０秒／３６００秒＝０．１６７Ｗｈ
である。
したがって、ユーザＡの使用電力量ｇは、
ｇ＝ｊ１＋ｊ２／２＝０．０１６Ｗｈ
になる。また、ユーザＢの使用電力量ｈは、
ｈ＝ｊ２／２＋ｊ３＋ｊ４＝０．１９９Ｗｈ
になる。
【図面の簡単な説明】
【００３５】
【図１】本実施の形態の電力管理システムの構成の一例を示す図である。
【図２】画像形成装置の構成例を示すブロック図である。
【図３】制御装置の格納部に格納されている電力情報テーブルの一例を説明する図である。
【図４】印刷装置、ＵＩ装置、画像読取装置および制御装置の各モードの遷移例を説明する第１の実施の形態に係るタイムチャートである。
【図５】制御装置のログ生成部により生成されて格納部に格納されるログを説明する図である。
【図６】印刷装置についての使用ユーザログを説明する図である。
【図７】印刷装置、ＵＩ装置、画像読取装置および制御装置の各モードの遷移例を説明する第２の実施の形態に係るタイムチャートである。
【図８】印刷装置についての使用ユーザログを説明する図である。
【図９】制御装置についての使用ユーザログを説明する図である。
【符号の説明】
【００３６】
２０…画像形成装置、２１…印刷装置、２２…ＵＩ装置、２３…画像読取装置、２４…制御装置、３１…ログ生成部、３２…演算部、３４…格納部、４１…印刷装置用ログ生成部、４２…ＵＩ装置用ログ生成部、４３…画像読取装置用ログ生成部、４４…制御装置用ログ生成部、４５…印刷装置用ユーザログ生成部、４６…ＵＩ装置用ユーザログ生成部、４７…画像読取装置用ユーザログ生成部、４８…制御装置用ユーザログ生成部
【図１】
2010056728.tif 000003
【図２】
2010056728.tif 000004
【図３】
2010056728.tif 000005
【図４】
2010056728.tif 000006
【図５】
2010056728.tif 000007
【図６】
2010056728.tif 000008
【図７】
2010056728.tif 000009
【図８】
2010056728.tif 000010
【図９】
2010056728.tif 000011